(57)【特許請求の範囲】
【請求項１】
複数のスラットを整列状態に支持するとともに前記スラットの傾斜を可変とするためのラダーコードと、前記スラットを昇降させるための昇降コードと、を備えたブラインドにおいて、
前記ラダーコードは、前後の垂直コードと、前記前後の垂直コードを連結し前記スラットを支持する中段コードとを有し、前記中段コードは上下に配された複数の横糸で構成され、
所定のスラットとその直下のスラットとが、前後の側縁のうち一方の側縁同士のピッチが他方の側縁のピッチよりも大きくなるように前記ラダーコードによって異なる傾斜角度に支持可能であり、
前記昇降コードは、前記スラットの長手方向の側縁に沿って配置され、
前記昇降コードは、前記一方の側縁に沿って配される部分において、前記直下のスラットを支持する中段コードの上下の横糸の外側に配され、
前記所定のスラットを支持する前記中段コードと前記直下のスラットを支持する前記中段コードとの間の部分における前記垂直コードが前記所定のスラットから前記直下のスラットにかけて内側に傾斜するときに、前記垂直コードと前記昇降コードが分離して配されることを特徴とする、ブラインド。
【請求項２】
前記昇降コードは、前記他方の側縁に沿って配される部分において、前記直下のスラットを支持する中段コードの上下の横糸の間に配されていることを特徴とする、請求項１に記載のブラインド。
【請求項３】
前記昇降コードは、前記他方の側縁に沿って配される部分において、前記所定のスラットを支持する中段コードの上下の横糸の外側に配されていることを特徴とする、請求項１又は２のいずれかに記載のブラインド。
【請求項４】
前記昇降コードは、前記一方の側縁に沿って配される部分において、前記所定のスラットを支持する中段コードの上下の横糸の間に配されていることを特徴とする、請求項１〜３のいずれかに記載のブラインド。
【請求項５】
前記昇降コードは、前記他方の側縁に沿って配される部分において、前記所定のスラットの１段上のスラットを支持する中段コードの上下の横糸の間に配されていることを特徴とする、請求項１〜４のいずれかに記載のブラインド。
【発明の詳細な説明】
【技術分野】
【０００１】
本発明は、ブラインドに関する。
【背景技術】
【０００２】
従来のブラインドとして、特開２００５−１２０６１２号公報（特許文献１）に示されるものがある。特許文献１に開示されるブラインドは、ラダーコードの前後の垂直コードの途中部分に、スラットのピッチを前後で異ならしめる切替部が設けられている。そして、スラット列の中で切替部を境として上部にある上側スラット群と、下部にある下側スラット群とが互いに異なる傾斜角度を保持し得るようにしている。このような構成によれば、ブラインドにおいて、入射及び遮蔽される光の状態にバリエーションを持たせることができる。
【先行技術文献】
【特許文献】
【０００３】
【特許文献１】特開２００５−１２０６１２号公報
【発明の概要】
【発明が解決しようとする課題】
【０００４】
しかし、特許文献１に開示されるブラインドでは、昇降コードは各スラットに設けられた挿通孔に挿通されている。このため、スラットを全閉となるまで回転させても、挿通孔からの光漏れが懸念されるという問題があった。なお、このような問題は、上側スラット群と下側スラット群とからなるブラインドに限らず、所定のスラットの傾斜角度を変えることによって、入射及び遮蔽される光の状態にバリエーションを持たせたブラインドにおいても共通する問題である。
【０００５】
そこで本発明は、このような問題に鑑みてなされたもので、その目的とするところは、入射及び遮蔽される光の状態にバリエーションを持たせたブラインドにおいて、遮蔽性を向上させることの可能なブラインドを提供することにある。
【課題を解決するための手段】
【０００６】
上記課題を解決するために、本発明によれば、複数のスラットを整列状態に支持するとともに前記スラットの傾斜を可変とするためのラダーコードと、前記スラットを昇降させるための昇降コードと、を備えたブラインドにおいて、前記ラダーコードは、前記スラットを支持する中段コードを有し、前記中段コードは上下に配された複数の横糸で構成され、所定のスラットとその直下のスラットとが、前後の側縁のうち一方の側縁同士のピッチが他方の側縁のピッチよりも大きくなるように前記ラダーコードによって異なる傾斜角度に支持可能であり、前記昇降コードは、前記スラットの長手方向の側縁に沿って配置されることを特徴とする、ブラインドが提供される。
【０００７】
かかる構成によれば、昇降コードをスラットの長手方向の側縁に沿って配置したことによって、スラットに昇降コードを挿通させるための挿通孔を設ける必要がない。このため、スラットを全閉となるまで回転させても、挿通孔からの光漏れの懸念がない。なお、「長手方向の側縁に沿って配置」とは、長手方向の一の側縁に沿って複数の昇降コードを配置してもよく、あるいは、一の側縁と他の側縁に例えば交互に昇降コードを配置してもよい。
【０００８】
ところで、所定のスラットとその直下のスラットとをラダーコードによって異なる傾斜角度に支持する場合、所定のスラットとその直下のスラットの前後において、ラダーコードと昇降コードとの干渉が生じるおそれがある。かかる干渉はブラインドの遮光性に影響を及ぼすおそれがある。そこで、本発明の応用例として、以下のような構成を採用してもよい。
【０００９】
前記昇降コードは、前記一方の側縁（ピッチが大きい方の側縁）に沿って配される部分において、前記直下のスラットを支持する中段コードの上下の横糸の外側に配されている構成としてもよい。直下のスラットについて、これを支持する中段コードの上下の横糸の外側に昇降コードが配され、昇降コードと中段コードとが分離しているため、ラダーコードと昇降コードの干渉を回避することができる。
【００１０】
このとき前記昇降コードは、前記他方の側縁（ピッチが小さい方の側縁）に沿って配される部分において、前記直下のスラットを支持する中段コードの上下の横糸の間に配されている構成としてもよい。直下のスラットについて、これを支持する中段コードの上下の横糸の外側に昇降コードが配され、昇降コードと中段コードとが分離している構成とした場合、直下のスラットに横ずれが発生する場合がある。しかし、ピッチが小さい方の側縁に沿って配される昇降コードが中段コードの上下の横糸の間に配されることで、直下のスラットの左右の横ズレを防止できる。
【００１１】
また、前記昇降コードは、前記他方の側縁（ピッチが小さい方の側縁）に沿って配される部分において、前記所定のスラットを支持する中段コードの上下の横糸の外側に配されている構成としてもよい。所定のスラットについて、これを支持する中段コードの上下の横糸の外側に昇降コードが配され、昇降コードと中段コードとが分離しているため、ラダーコードと昇降コードの干渉を回避することができる。
【００１２】
このとき、前記昇降コードは、前記一方の側縁（ピッチが大きい方の側縁）に沿って配される部分において、前記所定のスラットを支持する中段コードの上下の横糸の間に配されている構成としてもよい。所定のスラットについて、これを支持する中段コードの上下の横糸の外側に昇降コードが配され、昇降コードと中段コードとが分離している構成とした場合、所定のスラットに横ずれが発生する場合がある。しかし、ピッチが小さい方の側縁に沿って配される昇降コードが中段コードの上下の横糸の間に配されることで、所定のスラットの左右の横ズレを防止できる。
【００１３】
また、別の応用例として、前記昇降コードは、前記他方の側縁（ピッチが小さい方の側縁）に沿って配される部分において、前記所定のスラットの１段上のスラットを支持する中段コードの上下の横糸の間に配されている構成としてもよい。一般に、スラットが畳み込まれるときには、ラダーコードは、中段コードの上下の横糸間に配されている昇降コードを起点として、左右に交互にはみ出して折り畳まれていく。したがって、ラダーコードにおいて、中段コードの上下の横糸間に昇降コードが配されていない部分は、起点が存在しないことになる。このため、上下の横糸間に昇降コードが配されていない中段コードが連続して設けられると、ラダーコードのはみ出しが大きくなったり、不規則に折り畳まれたりすることになる。よって、所定のスラットの１段上のスラットを支持する中段コードの上下の横糸の間に昇降コードを配すことにより、スラットを畳み上げたときに、所定のスラットの近傍において、ラダーコードを他の段とほぼ同等に畳み込むことができる。
【発明の効果】
【００１４】
本発明によれば、入射及び遮蔽される光の状態にバリエーションを持たせたブラインドにおいて、遮蔽性を向上させることが可能である。本発明のその他の効果については、後述する発明を実施するための形態においても説明する。
【図面の簡単な説明】
【００１５】
【図１】第１の実施形態のブラインドの全体構成を示す正面図である。
【図２】ブラインドの切替部近傍の斜視図である。
【図３】ラダーコードが傾いていないときのブラインドの側面図である。
【図４】前側の垂直コードを巻き取り、後側の垂直コードを巻き解くようにラダーコードを傾動させたときの側面図である。
【図５】前側の垂直コードを巻き解き、後側の垂直コードを巻き取るようにラダーコードを傾動させたときの側面図である。
【図６】スラットを上昇させたときのブラインドの正面図である。
【図７】第２の実施形態のブラインドの全体構成を示す正面図である。
【図８】切替部近傍のスラットの端部を示す背面側から見た斜視図である。
【図９】切替部近傍のスラットの端部を示す断面図である。
【図１０】直下のスラットを支持するラダーコードと昇降コードの構成を示す平面図である。
【図１１】第３の実施形態のブラインドの全体構成を示す正面図である。
【図１２】切替部近傍のスラットの中央部を示す正面側から見た斜視図である。
【図１３】切替部近傍のスラットの中央部を示す断面図である。
【図１４】直上のスラットを支持するラダーコードと昇降コードの構成を示す平面図である。
【図１５】切替部近傍のスラットの中央部を示す断面図である。
【発明を実施するための形態】
【００１６】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１７】
（第１の実施形態）
第１の実施形態に係るブラインドの構成について、図１及び図２を参照しながら説明する。図１は、本実施形態のブラインドの全体構成を示す正面図であり、図２は、ブラインドの切替部近傍の斜視図である。
【００１８】
まず、本実施形態のブラインド１００の全体構成について、図１を参照しながら説明する。ブラインド１００は、ヘッドボックス１１０から垂下される３本のラダーコード１２０によって多数のスラット１３０が整列状態に支持され、ラダーコード１２０の前後の垂直コード１２１、１２２を相対移動させることによりスラット１３０の傾斜を可変とし、ヘッドボックス１１０から垂下される昇降コード１４０が各スラット１３０の側縁に沿って配置されて、昇降コード１４０の一端がスラット１３０列の下端に配置されるボトムレール１５０に連結され、スラット１３０は上部及び下部において、それぞれ異なる角度にてラダーコード１２０によって保持可能であるように構成される。
【００１９】
以下、本実施形態のブラインド１００の各構成要素について説明する。
【００２０】
ヘッドボックス１１０は、窓枠や天井等にブラケットを介して固定されている。ヘッドボックス１１０内には、図１に示したように、ラダーコード１２０及び昇降コード１４０の上端が挿入されている。ヘッドボックス１１０内には、ラダーコード１２０の上端が連結される図示していない回転ドラムが配設されており、回転ドラムの回転によりラダーコード１２０が傾動する。回転ドラムはヘッドボックス１１０の一端に設けられる操作棒１６０を回転操作することにより、回転してラダーコード１２０の傾動が操作される。また、ヘッドボックス１１０の前面には、操作棒１６０と隣り合って、昇降コード１４０の上端が導出される導出口１７０が形成されている。導出口１７０には、昇降コード１４０が移動できる状態と拘束された状態とを切り替えるストッパ１７１が設けられている。
【００２１】
ラダーコード１２０は、図１及び図２に示したように、前後の２つの垂直コード１２１、１２２と、前後の垂直コード１２１、１２２を連結する多数の中段コード１２３とから構成されて、各中段コード１２３に複数のスラット１３０が載置される。また、ラダーコード１２０の前後の垂直コード１２１、１２２の上端は、上述したように、ヘッドボックス１１０内に導入されて回転ドラムに連結される。ラダーコード１２０の前後の垂直コード１２１、１２２は、回転ドラムの回転に伴って、それらの間に上下方向の相対変位が発生し、それによって中段コード１２３が傾斜して、スラット１３０が傾斜するようになっている。ラダーコード１２０の前後の垂直コード１２１、１２２の下端は、スラット１３０列の下端に配置されるボトムレール１５０に連結される。
【００２２】
ラダーコード１２０の前後の垂直コード１２１、１２２のうちの前側の垂直コード１２１は、その上下方向途中位置において、一部がつまみ部材１２４によって丈詰めされた丈詰め部となっている。この丈詰め部に位置する１つの中段コードＸは切除されている。この丈詰め部によって、前側の垂直コード１２１においては、中段コード１２３のピッチは上下方向でほぼ一定である。これに対して、後側の垂直コード１２２においては、１つの中段コードＸが切除されている分、丈詰め部においてのみ、そのピッチが大きくなっている。
【００２３】
つまり、この丈詰め部においては、スラット１３０のピッチが前側は他の部分と同じであるのに対し、後側では２倍になって、前後でピッチが異なっており、丈詰め部は切替部１２０ａとして機能している。そして、この切替部１２０ａを境として中段コード１２３の傾斜角度が変わるために、切替部１２０ａよりも上部にある上側スラット群１３０ａと、切替部１２０ａよりも下部にある下側スラット群１３０ｂとは、異なる傾斜角度に保持し得るようになっている。図２の状態では、上側スラット群１３０ａは水平となっているのに対して、下側スラット群１３０ｂは傾斜している。これにより、ブラインド１００の下部では外部からの視界を遮り、ブラインド１００の上部では外部からの光を採り入れることができるようになっている。また、その逆の状態も可能である。
【００２４】
複数のスラット１３０は、図１に示したように、ラダーコード１２０によって整列状態に支持されており、ラダーコード１２０が傾動することによって回転する。また、上述したように、昇降コード１４０がスラット１３０の側縁に沿って配されているため、スラット１３０には、昇降コード１４０が挿通する挿通孔が設けられていない。また、図２に示したように、上側スラット群１３０ａの最下段のスラット、すなわち、切替部１２０ａの直上のスラット１３２は、中段コード１２３とクリップ１９０で固定されている。
【００２５】
（昇降コード１４０）
昇降コード１４０は、これが昇降することによりスラット１３０を昇降するものである。昇降コード１４０は、図１に示したように、スラット１３０の長手方向の中央と両端に各１本ずつ設けられている。それぞれの昇降コード１４０は、ラダーコード１２０に沿って配されている。それぞれの昇降コード１４０は、下端が複数のスラット１３０の最下段に配置されるボトムレール１５０に連結され、上端が複数のスラット１３０の側縁を通ってヘッドボックス１１０内に導入される。ヘッドボックス１１０内に導入された昇降コード１４０は、ヘッドボックス１１０の一端に導かれて、ストッパ１７１を介して導出口１７０から導出される。ヘッドボックス１１０から導出された昇降コード１４０の一部あるいは昇降コード１４０に連結されたコード１８１によって操作部１８０が構成される。
【００２６】
３本の昇降コード１４０のうち、中央に配置される昇降コード１４０は、前側の垂直コード１２１に沿って配され、スラット１３０の両端に配置される昇降コード１４０は、後側の垂直コード１２２に沿って配される。また、昇降コード１４０は、常に緊張状態に保たれている。
【００２７】
本実施形態において、昇降コード１４０を常に緊張状態に保つのは以下の理由による。すなわち、本実施形態におけるブランド１００は、上述したように、切替部１２０ａにおいてスラット１３０のピッチが前側は他の部分と同じであるのに対し、後側では２倍になって、前後で垂直コード１２１、１２２の長さが異なっている。このため、全スラット１３０を垂直状態に傾斜させたときに、切替部１２０ａにおいて、スラット１３０のピッチが長い後側の垂直コード１２２が弛んでしまう。このように、垂直コードが弛んでしまうブラインドにおいて、昇降コードを常に緊張状態に保たないと、昇降コードが弛んでしまい、それがスラットの回転を妨害する原因になる。このため、昇降コード１４０を常に緊張状態に保つことによって、スラット１３０の回転性を向上させている。
【００２８】
以上、本実施形態のブラインド１００の全体構成について説明した。次に、本実施形態のブラインド１００の動作について、図３〜図５を参照しながら説明する。
【００２９】
スラット１３０を回転させる場合、操作棒１６０を回転操作すると、回転ドラムが回転して前後の垂直コード１２１、１２２のうちどちらか一方を巻き取り、他方を巻き解く。これによりラダーコード１２０が傾動して、中段コード１２３の傾斜が変更される。本実施形態では、ラダーコード１２０に設けられた切替部１２０ａによって、ラダーコード１２０の傾動状態に応じた切替部１２０ａよりも上部にある上側スラット群１３０ａと、切替部１２０ａよりも下部にある下側スラット群１３０ｂの状態が異なるため、ラダーコード１２０の傾動状態に応じた上側スラット群１３０ａと下側スラット群１３０ｂの状態を中心に以下に説明する。
【００３０】
まず、ラダーコード１２０が傾いていない状態、すなわち、前後の垂直コード１２１、１２２のどちらも同じ程度に回転ドラムに巻き取られている場合、図３に示したように、上側スラット群１３０ａが水平で、下側スラット群１３０ｂが約４５°傾いた状態になる。これにより、ブラインド１００の上部では外部からの光を採り入れることができる。一方、ブラインド１００の下部では、外部からの光や視線をある程度遮ることができる。このようにして、入射及び遮蔽される光の状態にバリエーションを持たせることができる。
【００３１】
次に、前側の垂直コード１２１を巻き取り、後側の垂直コード１２２を巻き解くと、上側スラット群１３０ａ及び下側スラット群１３０ｂが回転する。このとき、まず、下側スラット郡１３０ｂが垂直な状態になる。その後、垂直コード１２１、１２２の操作を続けると、上側スラット群１３０ａが垂直な状態になる。これにより、図４に示したように、上側スラット群１３０ａ及び下側スラット群１３０ｂがともに垂直な状態になり、全てのスラット１３０が閉じる。
【００３２】
上述したように、ブラインド１００は、昇降コード１４０がスラット１３０の側縁を通り、スラット１３０には昇降コード１４０が挿通する挿通孔が設けられていないため、ブラインド１００全体がスラット１３０の面によって遮蔽される。よって、ブラインド１００全体が光漏れを生ずることなく、外部からの光や視線を遮ることができる。このようにして、入射及び遮蔽される光の状態にバリエーションを持たせることができる。
【００３３】
次に、前側の垂直コード１２１を巻き解き、後側の垂直コード１２２を巻き取った場合、図５に示したように、上側スラット群１３０ａが約４５°傾き、下側スラット群１３０ｂが水平な状態になる。これにより、ブラインド１００の上部では、外部からの光や視線をある程度遮ることができる。一方、ブラインド１００の下部では外部からの光を採り入れることができる。このようにして、入射及び遮蔽される光の状態にバリエーションを持たせることができる。
【００３４】
この後、さらに、前側の垂直コード１２１を巻き解き、後側の垂直コード１２２を巻き取る操作を続けると、上側スラット群１３０ａ及び下側スラット群１３０ｂはさらに回転する。そして、前側の垂直コード１２１の巻き解き、及び後側の垂直コード１２２の巻き取りを限界まで行うと、上側スラット群１３０ａが垂直な状態になり、下側スラット群１３０ｂが水平よりも若干傾いた状態になる。上述したように、ブラインド１００は、昇降コード１４０がスラット１３０の側縁を通り、スラット１３０には昇降コード１４０が挿通する挿通孔が設けられていないため、ブラインド１００の上部では、光漏れを生ずることなく、外部からの光や視線を遮ることができる。一方、ブラインド１００の下部では外部からの光を採り入れることができる。このようにして、入射及び遮蔽される光の状態にバリエーションを持たせることができる。
【００３５】
スラット１３０の昇降は、ヘッドボックス１１０から導出された昇降コード１４０の一部あるいは昇降コード１４０に連結されたコード１８１である操作部１８０の操作により行われる。すなわち、操作部１８０を引き降ろすと、図６に示したように、スラット１３０が上昇する。スラット１３０の下降は、操作部１８０を操作してストッパ１７１を解除する。これにより、スラット１３０が自重によって下降する。
【００３６】
（第１の実施形態の効果）
以上説明したように、本実施形態によれば、昇降コード１４０をスラット１３０の長手方向の側縁に沿って配置したことによって、スラット１３０に昇降コード１４０を挿通させるための挿通孔を設ける必要がない。このため、スラット１３０を全閉となるまで回転させても、挿通孔からの光漏れの懸念がない。
【００３７】
（第２の実施形態）
次に、第２の実施形態に係るブラインドの構成について、図７及び図８を参照しながら説明する。図７は、第２の実施形態のブラインドの全体構成を示す正面図であり、図８は、切替部近傍のスラットの端部を示す背面側から見た斜視図である。本実施形態では、第１の実施形態のブラインドの応用例として、ラダーコードの切替部の直下に配置されるスラットを支持する中段コードと、直下のスラットの側縁に沿って配される昇降コードの構成に特徴を持たせたものである。なお、切替部の直下に配置されるスラットとは、スラットの角度が切替わる箇所となる上下２枚のスラットのうち、下側に配置されるスラットを指す。
【００３８】
本実施形態では、上記第１の実施形態と異なる点を中心に説明する。以下の説明において、ラダーコード２２０、切替部２２０ａ、前側の垂直コード２２１、後側の垂直コード２２２、中段コード２２３、スラット２３０、上側スラット群２３０ａ、下側スラット群２３０ｂ及び昇降コード２４０について、上記第１の実施形態のラダーコード１２０、切替部１２０ａ、前側の垂直コード１２１、後側の垂直コード１２２、中段コード１２３、スラット１３０、上側スラット群１３０ａ、下側スラット群１３０ｂ及び昇降コード１４０と同様の点については、重複説明を省略する。
【００３９】
本実施形態では、第１の実施形態のブラインド１００の応用例として、以下のような構成を採用したものである。すなわち、本実施形態のブラインド２００では、図７に示したように、下側スラット群２３０ｂの最上段のスラット、すなわちラダーコード２２０の切替部２２０ａの直下に配置される直下のスラット２３１において以下のような構成にした。
【００４０】
すなわち、図８に示したように、昇降コード２４０は、スラット２３０を支持する中段コード２２３の上下の横糸２２３ａ、２２３ｂ間に配されるが、直下のスラット２３１については、後側の垂直コード２２２に沿って配される昇降コード２４０が、直下のスラット２３１を支持する中段コード２２３の上下の横糸２２３ａ、２２３ｂの外側に配される。
【００４１】
また、各スラット２３０には、後側の垂直コード２２２が配される位置に切欠部２３４が形成されており、切欠部２３４には中段コード２２３の上下の横糸２２３ａ、２２３ｂ間に配される昇降コード２４０が挿通している。しかし、直下のスラット２３１については、昇降コード２４０が中段コード２２３の上下の横糸２２３ａ、２２３ｂの外側に配されるため、切欠部２３４を挿通しない構成となっている。
【００４２】
（第２の実施形態の作用）
本実施形態では、図９に示したように、切替部２２０ａにおいて、後側の垂直コード２２２は前側の垂直コード２２１の２倍の長さになっている。このため、上側スラット群２３０ａが水平なときに、下側スラット群２３０ｂは後側の側縁が下方に位置するように傾斜する。よって、後側の垂直コード２２２の切替部２２０ａは、上側スラット群２３０ａの下端から直下のスラット２３１にかけて内側に傾斜する。この状態のときには、昇降コード２４０も後側の垂直コード２２２に沿って内側に傾斜するように導かれる。このため、昇降コード２４０は、これの張力により直下のスラット２３１の部分において外側方向に引っ張られる。
【００４３】
このように、後側の垂直コード２２２に沿って配される昇降コード２４０は、直下のスラット２３１の部分において外側方向に引っ張られるが、直下のスラット２３１を支持する中段コード２２３の上下の横糸２２３ａ、２２３ｂの外側に配されているため、昇降コード２４０と後側の垂直コード２２２とが分離している。これにより、直下のスラット２３１を支持する中段コード２２３が昇降コード２４０によって引っ張られないため、昇降コード２４０が下側スラット群２３０ｂの回転に影響を及ぼすことがない。
【００４４】
（第２の実施形態の効果）
以上説明したように、本実施形態によれば、昇降コード２４０が直下のスラット２３１を支持する中段コード２２３の上下の横糸２２３ａ、２２３ｂの外側に配され、昇降コード２４０と後側の垂直コード２２２とが分離しているため、後側の垂直コード２２２は昇降コード２４０の影響を受けない。このため、直下のスラット２３１が昇降コード２４０によって外側に引っ張られなくなり、遮蔽性が向上する。
【００４５】
（第２の実施形態の応用例）
第２の実施形態において、後側の垂直コード２２２に沿って昇降コード２４０を配する位置を、図１０に示したように、直下のスラット２３１の両端部とすると、直下のスラット２３１の中央に配される昇降コード２４０は、前側の垂直コード２２１に沿って配されるようにすればよい。そして、前側の垂直コード２２１に沿って配される昇降コード２４０は、直下のスラット２３１を支持する中段コード２２３の上下の横糸２２３ａ、２２３ｂ間に配されるようにする。
【００４６】
かかる構成により、直下のスラット２３１では、後側の垂直コード２２２に沿って配される昇降コード２４０が、直下のスラット２３１を支持する中段コード２２３の上下の横糸２２３ａ、２２３ｂの外側に配されるため、直下のスラット２３１の左右の横ずれが発生する原因となる。しかし、前側の垂直コード２２１に沿って配される昇降コード２４０が、直下のスラット２３１を支持する中段コード２２３の上下の横糸２２３ａ、２２３ｂ間に配されることで、後側の垂直コード２２２が前側に引き寄せられて直下のスラット２３１の切欠部２３４内に配され、直下のスラット２３１の左右の横ズレを防止できる。
【００４７】
なお、本応用例では、スラット２３０の両端部に配される昇降コード２４０を後側の垂直コード２２２に沿って配し、スラット２３０の中央に配される昇降コード２４０を前側の垂直コード２２１に沿って配したが、逆でもよい。
【００４８】
（第３の実施形態）
次に、第３の実施形態に係るブラインドの構成について、図１１〜図１３を参照しながら説明する。図１１は、第３の実施形態のブラインドの全体構成を示す正面図であり、図１２は、切替部近傍のスラットの端部を示す正面側から見た斜視図である。本実施形態では、第１の実施形態のブラインドの応用例として、ラダーコードの切替部の直上に配置されるスラットを支持する中段コードと、直上のスラットの側縁に沿って配される昇降コードの構成に特徴を持たせたものである。なお、切替部の直上に配置されるスラットとは、スラットの角度が切替わる箇所となる上下２枚のスラットのうち、上側に配置されるスラットを指す。
【００４９】
本実施形態では、上記第１の実施形態と異なる点を中心に説明する。以下の説明において、ラダーコード３２０、切替部３２０ａ、前側の垂直コード３２１、後側の垂直コード３２２、中段コード３２３、スラット３３０、上側スラット群３３０ａ、下側スラット群３３０ｂ及び昇降コード３４０について、上記第１の実施形態のラダーコード１２０、切替部１２０ａ、前側の垂直コード１２１、後側の垂直コード１２２、中段コード１２３、スラット１３０、上側スラット群１３０ａ、下側スラット群１３０ｂ及び昇降コード１４０と同様の点については、重複説明を省略する。また、切欠部３３４については、上記第２の実施形態の切欠部２３４と同様であるため、重複説明を省略する。
【００５０】
本実施形態では、第１の実施形態のブラインド１００の応用例として、以下のような構成を採用したものである。すなわち、本実施形態のブラインド３００では、図１１に示したように、上側スラット群３３０ａの最下段のスラット３３２、すなわちラダーコード３２０の切替部３２０ａの直上に配置される直上のスラット３３２において以下のような構成にした。すなわち、図１２に示したように、昇降コード３４０は、スラット３３０を支持する中段コード３２３の上下の横糸３２３ａ、３２３ｂの間に配されるが、直上のスラット３３２については、前側の垂直コード３２１に沿って配される昇降コード３４０が、直上のスラット３３１を支持する中段コード３２３の上下の横糸３２３ａ、３２３ｂの外側に配される。
【００５１】
（第３の実施形態の作用）
本実施形態では、図１３に示したように、切替部３２０ａにおいて、後側の垂直コード３２２は前側の垂直コード３２１の２倍の長さになっている。このため、上側スラット群３３０ａが水平なときに、下側スラット群３３０ｂは後側の側縁が下方に位置するように傾斜する。よって、後側の垂直コード３２２は上側スラット群３３０ａの最下段のスラットである直上のスラット３３２から下側のスラット群３３０ｂの最上段のスラットである直下のスラット３３１にかけて内側に傾斜する。このように、ラダーコード３２０の幅が上側スラット群３３０ａの下端から下側スラット群３３０ｂにかけて狭くなる。よって、直上のスラット３３２を支持するラダーコード３２０の幅は、下側スラット群３３０ｂを支持するラダーコード３２０の幅の影響を受けて狭くなっている。
【００５２】
このため、直上のスラット３３２を支持する中段コード３２３の幅は、上述のように下側スラット群３３０ｂを支持するラダーコード３２０の幅の影響を受けて狭くなっている。ここで、仮に、直上のスラット３３２を支持する中段コード３２３の上下の横糸３２３ａ、３２３ｂの間に昇降コード３４０を配すると、中段コード３２３は、昇降コード３４０の太さ分、さらに幅が狭くなる。このため、ラダーコード３２０が直上のスラット３３２を押圧する可能性が生じる。しかし、本実施形態では、直上のスラット３３２を支持する中段コード３２３については、昇降コード３４０を上下の横糸３２３ａ、３２３ｂの外側に配している。このため、中段コード３３２の幅が広くなり、直上のスラット３３２はラダーコード３２０に余裕をもって支持されることになる。よって、直上のスラット３３２に対するラダーコード３２０による押圧の可能性が解消されるため、直上のスラット３３２の回転性が良くなる。
【００５３】
（第３の実施形態の効果）
以上説明したように、本実施形態によれば、昇降コード３４０を上下の横糸３２３ａ、３２３ｂの外側に配するため、中段コード３３２の幅が広くなり、直上のスラット３３２とラダーコード３２０の間に余裕が生じる。これにより、直上のスラット３３２に対するラダーコード３２０による押圧が解消され、スラット回転時において、直上のスラット３３２の回転性が良くなる。
【００５４】
（第３の実施形態の第１の応用例）
第３の実施形態において、前側の垂直コード３２１に沿って昇降コード３４０を配する位置を、図１４に示したように、直上のスラット３３２の中央とすると、直上のスラット３３２の両端部に配される昇降コード３４０は、後側の垂直コード３２２に沿って配されるようにすればよい。そして、後側の垂直コード３２２に沿って配される昇降コード３４０は、直上のスラット３３２を支持する中段コード３２３の上下の横糸３２３ａ、３２３ｂ間に配されるようにする。
【００５５】
かかる構成により、直上のスラット３３２では、前側の垂直コード３２１に沿って配される昇降コード３４０が、直上のスラット３３２を支持する中段コード３２３の上下の横糸３２３ａ、３２３ｂの外側に配されるため、直上のスラット３３２の左右の横ずれが発生する原因となる。しかし、後側の垂直コード３２２に沿って配される昇降コード３４０が、直上のスラット３３２を支持する中段コード３２３の上下の横糸３２３ａ、３２３ｂ間に配されることで、後側の垂直コード３２２に沿って配される昇降コード３４０が直上のスラット３３２の切欠部３３４内に配され、直上のスラット３３２の左右の横ズレを防止できる。
【００５６】
なお、直上のスラット３３２に切欠部３３４が設けられていない場合でも、昇降コード３４０が中段コード３２３の上下の横糸３２３ａ、３２３ｂ間に配されるため、直上のスラット３３２と昇降コード３４０との摩擦により、直上のスラット３３２の横ズレをある程度防止することができる。
【００５７】
なお、本応用例では、スラット３３０の中央に配される昇降コード３４０を前側の垂直コード３２１に沿って配しスラット３３０の両端部に配される昇降コード３４０を後側の垂直コード３２２に沿って配し、たが、逆でもよい。
【００５８】
（第３の実施形態の第２の応用例）
第３の実施形態において、図１５に示したように、直上のスラット３３２の１段上のスラット３３３については、前側の垂直コード３２１に沿って配される昇降コード３４０が中段コード３２３の上下の横糸３２３ａ、３２３ｂの間に配されるようにする。
【００５９】
一般に、スラットが畳み込まれるときには、ラダーコードは、中段コードの上下の横糸間に配されている昇降コードを起点として、左右に交互にはみ出して折り畳まれていく。したがって、ラダーコードにおいて、中段コードの上下の横糸間に昇降コードが配されていない部分は、起点が存在しないことになる。このため、上下の横糸間に昇降コードが配されていない中段コードが連続して設けられると、ラダーコードのはみ出しが大きくなったり、不規則に折り畳まれたりすることになる。よって、直上のスラット３３２の１段上のスラット３３３を支持する中段コード３２３の上下の横糸３２３ａ、３２３ｂの間に昇降コード３４０を配すことにより、スラット３３０を畳み上げたときに、直上のスラット３３２の近傍において、ラダーコード３２０を他の段とほぼ同等に畳み込むことができる。
【００６０】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００６１】
例えば、上記実施形態では、スラット群を上下２つのスラット群に分けたが、本発明は、この例に限定されない。本発明は、隣接するスラット（所定のスラットとその直下のスラット）がラダーコードによって異なる傾斜角度に支持可能なブラインドであれば、任意のブラインドに採用できる。例えば、ラダーコードによって異なる傾斜角度に支持可能とされるスラット群を３つ以上としたりしてもよい。また、任意のスラットのみを異なる傾斜角度に支持されるようにしてもよい。
【００６２】
また、上記実施形態では、切替部において、スラットのピッチを前側よりも後側の方を大きくしたが、逆でもよい。
【００６３】
さらに、上記実施形態では、切替部におけるスラットのピッチの大きさを、後側では２倍にしたが、この例に限定されず、例えば、ブラインドのデザインなどに応じて、３倍以上にしてもよい。
【００６４】
また、上記実施形態では、ラダーコードの前後の垂直コードのうちの前側の垂直コードの上下方向途中位置において、一部がつまみ部材によって丈詰めされた丈詰め部を構成することにより、上側スラット群と下側スラット群とを異なる角度で支持可能な切替部をラダーコードに設けたが、本発明はこの例に限定されない。例えば、以下の例のようなものでもよい。すなわち、上下のスラット群がそれぞれ異なるラダーコードによって支持されるようにしてもよい。つまり、上側スラット群は上側スラット群のみ支持する上部ラダーコードによって支持され、下側スラット群は下側スラット群のみ支持する下部ラダーコードによって支持されるようにする。そして、上部ラダーコードと下部ラダーコードとが独立、あるいは時間差を以て回転することで、上下で異なるスラット角度にすることができる。このように構成されたブラインドにおいても、上記第２の実施形態と同様の構成とすることができる。これにより、下側スラット群の遮蔽性が向上するとともに、下側スラット群の最上段のスラットの左右の横ズレを防止できる。さらに、第３の実施形態と同様の構成とすることもできる。これにより、スラットを回転させたときの上側スラット群の最下段のスラットの回転性が良くなるとともに、最下段のスラットの左右の横ズレを防止でき、スラットを畳み上げたときに、最下段のスラットの近傍において、ラダーコードを他の段とほぼ同等に畳み込むことができる。
【００６５】
さらに別の例として、以下のようなものでもよい。すなわち、ラダーコードに全てのスラットを同じ角度で支持しておき、ラダーコードの一部に操作コードを連結する。そして、操作コードを操作することによって、ラダーコードの一部が引き上げられ、引き上げられた箇所より下部の下側スラット群のみが回転することによって、引き上げられた箇所を境に、上下のスラット群を異なる角度にするようにしてもよい。このように構成されたブラインドにおいても、上記第２の実施形態と同様の構成とすることができる。これにより、下側スラット群の遮蔽性が向上するとともに、下側スラット群の最上段のスラットの左右の横ズレを防止できる。さらに、第３の実施形態と同様の構成とすることもできる。これにより、スラットを回転させたときの上側スラット群の最下段のスラットの回転性が良くなるとともに、最下段のスラットの左右の横ズレを防止でき、スラットを畳み上げたときに、最下段のスラットの近傍において、ラダーコードを他の段とほぼ同等に畳み込むことができる。
【００６６】
また、上記実施形態では、ラダーコード１２０及び昇降コード１４０の数を３本としたが、ブラインド１００のサイズやデザインによって適宜変更してよい。
【００６７】
上記第１〜第３の実施形態やその応用例として説明した技術的特徴については、適宜組み合わせて実施することが可能である。
【符号の説明】
【００６８】
１００、２００、３００  ブラインド
１１０  ヘッドボックス
１２０、２２０、３２０  ラダーコード
１２０ａ、２２０ａ、３２０ａ  切替部
１２１、２２１、３２１  前側の垂直コード
１２２、２２２、３２２  後側の垂直コード
１２３、２２３、３２３  中段コード
１２４  つまみ部材
１３０、２３０、３３０  スラット
１３０ａ、２３０ａ、３３０ａ  上側スラット群
１３０ｂ、２３０ｂ、３３０ｂ  下側スラット群
１３２、３３２  直上のスラット
１４０、２４０、３４０  昇降コード
１５０  ボトムレール
１６０  操作棒
１７０  導出口
１７１  ストッパ
１８０  操作部
１８１  コード
１９０  クリップ
２３１、３３１  直下のスラット
２２３ａ  上の横糸
２２３ｂ  下の横糸
２３４、３３４  切欠部
３３３  １段上のスラット
【図１】
0006480252.tif 000002
【図２】
0006480252.tif 000003
【図３】
0006480252.tif 000004
【図４】
0006480252.tif 000005
【図５】
0006480252.tif 000006
【図６】
0006480252.tif 000007
【図７】
0006480252.tif 000008
【図８】
0006480252.tif 000009
【図９】
0006480252.tif 000010
【図１０】
0006480252.tif 000011
【図１１】
0006480252.tif 000012
【図１２】
0006480252.tif 000013
【図１３】
0006480252.tif 000014
【図１４】
0006480252.tif 000015
【図１５】
0006480252.tif 000016